(57)【要約】  内部に機器等が収納された構造物に設けられた開口部を、火災発生の際に塞ぐ開口封鎖装置であって、高圧ガスで膨らむ袋状に形成され、待機状態のとき畳まれて収納されると共に、火災発生の際に前記高圧ガスで膨らまされて前記開口部を塞ぐシート材を備えて構成されたことを特徴とする。構造物内で火災が発生したとき作動する消火装置であって、前記構造物の開口部に前記開口封鎖装置を備えた。風車の回転によって回転される発電機及びトランスを内部に収納した風力発電機用ナセル内の火災を消火する消火装置として前記消火装置を備えた。
2008146345.tif 000002
【特許請求の範囲】
【請求項１】
内部に機器等が収納された構造物に設けられた開口部を、火災発生の際に塞ぐ開口封鎖装置であって、
高圧ガスで膨らむ袋状に形成され、待機状態のとき畳まれて収納されると共に、火災発生の際に前記高圧ガスで膨らまされて前記開口部を塞ぐシート材を備えて構成されたことを特徴とする開口封鎖装置。
【請求項２】
請求項１に記載の開口封鎖装置において、
前記シート材が、耐火シートで構成されたことを特徴とする開口封鎖装置。
【請求項３】
請求項１に記載の開口封鎖装置において、
前記シート材に、当該シート材が前記高圧ガスによって膨らんだ後、当該シート材から消火ガスを外部に抜くガス抜き開口が設けられたことを特徴とする開口封鎖装置。
【請求項４】
請求項１に記載の開口封鎖装置において、
前記シート材に、当該シート材を巻き取るときの芯材及び当該シート材を広げたときの錘として機能する棒材が取り付けられたことを特徴とする開口封鎖装置。
【請求項５】
請求項１に記載の開口封鎖装置において、
畳まれた前記シート材を仮止めし、前記高圧ガスで当該シート材が膨らまされるときに仮止めが解除されるシート材仮止め手段を備えたことを特徴とする開口封鎖装置。
【請求項６】
請求項５に記載の開口封鎖装置において、
前記シート材仮止め手段が、畳まれた前記シート材が収納される容器本体と、当該容器本体の開口を塞ぐ蓋板と、当該蓋板を簡易的に固定し前記シート材が膨らまされると容易に開く蓋板仮止め部とを備えて構成されたことを特徴とする開口封鎖装置。
【請求項７】
請求項５に記載の開口封鎖装置において、
前記シート材仮止め手段が、畳まれた前記シート材の周囲に巻かれて当該シート材を支持するひも状部材と、一端が固定された当該ひも状部材の他端に設けられて前記シート材が高圧ガスで膨らまされるときに容易に解除されるひも状部材仮止め手段とを備えて構成されたことを特徴とする開口封鎖装置。
【請求項８】
請求項１に記載の開口封鎖装置において、
前記構造物が、空きスペースがほとんど無い状態で機器等が内部に収納されたことを特徴とする開口封鎖装置。
【請求項９】
内部に機器等が収納された構造物に設けられ、当該構造物内で火災が発生したとき作動する消火装置であって、
前記構造物の開口部に、請求項１乃至８のいずれか１項に記載の開口封鎖装置を備えたことを特徴とする消火装置。
【請求項１０】
少なくとも、風車の回転によって回転される発電機及びトランスを内部に収納した風力発電機用ナセルにおいて、
前記発電機等から発生する火災を消火する消火装置として請求項９に記載の消火装置を備えたことを特徴とする風力発電機用ナセル。
【発明の詳細な説明】
【技術分野】
【０００１】
本発明は、風力発電機のナセル内に設置される消火装置の消火効率を改善した開口封鎖装置及び消火装置並びに風力発電機用ナセルに関するものである。
【背景技術】
【０００２】
風力発電機は一般に特許文献１のような構成を有している。この風力発電機を図２に基づいて概説する。【０００３】
風力発電設備１は、地上に設置されたタワー２、このタワー２の上端部に旋回自在に配設されたナセル３、このナセル３の一端側外部に位置して回転軸４に取り付けられた風車５、ナセル３内に設けられ前記風車５の回転軸４に連結された増速機６、この増速機６に連結された発電機７等を備えて構成されている。【０００４】
そして、ナセル３内には消火装置(図示せず)が設置されている。この消火装置は、ナセル３内で発生する火災を消火するために設置されるものである。ナセル３内で発生する火災としては、発電機７のトランス(図示せず)の異常な発熱による火災や、落雷による火災等がある。これの原因により火災が発生すると、消火装置が作動して、ナセル３内に消火ガスを放出する。
【特許文献１】特開２００４−２３２５００号公報
【特許文献２】特開２０００−８０８６７号公報
【特許文献３】特開平８−３０３１６２号公報
【特許文献４】特許３８００５８５号公報
【特許文献５】特開平０７−２５９４５４号公報
【特許文献６】特許３４０７１２８号公報
【発明の開示】
【発明が解決しようとする課題】
【０００５】
ところが、前記ナセル３には、発電装置から発生する熱を外部に放出するための開口部が数箇所に設けられて、内部の通気性が良くなっている。このため、前記消火装置が作動してナセル３内に消火ガスが放出された時に、前記開口部から消火ガスが流出して十分な消火効果を得ることができない。【０００６】
この場合、消火効果を上げるために前記開口部を塞ぐ装置を設置することが考えられるが、ナセル３内は増速機６や発電機７等の装置で大半のスペースを占めているため、大がかりな装置を設置することはできない。このような状況で、前記開口部を塞ぐ際によく用いられるのはシャッターである。このシャッターの例としては特許文献２、３がある。この特許文献２、３のシャッターは通常のシャッターとして特に問題ないが、ナセル３内に設置するシャッターとしては重量と大きさの点で問題がある。即ち、シャッター部分が鋼鉄製になっているため重量があり、シャッターのガイドレールや巻き取り装置があるため嵩張って装置全体が大型となっている。このため、ナセル３内に狭い空間に設置するのが難しい。【０００７】
これを解消する対策として、シャッター部を鋼鉄製から耐火シートや不燃性の布を用いたものが特許文献４〜６に記載されている。これにより、駆動装置を大幅に小型化することができるが、この場合でもまだ駆動装置が必要であり、この駆動装置の分が嵩張ってしまう。【０００８】
なお、駆動装置を必要としない自重落下により作動する方式もあるが、この場合、開口部が垂直壁に設けられている場合にしか対応できない。【０００９】
本発明は、以上の点を考慮してなされたものであり、風力発電機のナセル等の設置スペースが限られた空間に確実に設置できると共に、この空間での火災に対して、消火剤放出時に簡易な手段で内部を確実に封鎖して消火剤濃度の低下を防止できる開口封鎖装置及び消火装置並びに風力発電機用ナセルを提供しようとしたものである。
【課題を解決するための手段】
【００１０】
かかる課題を解決するために、第１の発明は、内部に機器等が収納された構造物に設けられた開口部を、火災発生の際に塞ぐ開口封鎖装置であって、高圧ガスで膨らむ袋状に形成され、待機状態のとき畳まれて収納されると共に、火災発生の際に前記高圧ガスで膨らまされて前記開口部を塞ぐシート材を備えて構成されたことを特徴とする。【００１１】
前記構成により、前記構造物で火災が発生して高圧ガスが噴射されると、その高圧ガスの一部が前記シート材にも供給されて、高圧ガスが直接又はこの高圧ガスによって起動ガスが前記シート材に供給されてこの前記シート材を膨らまされて前記開口部を塞ぐ。【００１２】
前記シート材は、耐火シートで構成されることが望ましい。前記シート材には、当該シート材が前記高圧ガスによって膨らんだ後、当該シート材から消火ガスを外部に抜くガス抜き開口を設けることが望ましい。また、前記シート材には、当該シート材を巻き取るときの芯材及び当該シート材を広げたときの錘として機能する棒材を取り付けることが望ましい。畳まれた前記シート材を仮止めし、前記高圧ガスで当該シート材が膨らまされるときに仮止めが解除されるシート材仮止め手段を備えることが望ましい。前記シート材仮止め手段は、畳まれた前記シート材が収納される容器本体と、当該容器本体の開口を塞ぐ蓋板と、当該蓋板を簡易的に固定し前記シート材が膨らまされると容易に開く蓋板仮止め部とを備えて構成することが望ましい。前記シート材仮止め手段は、畳まれた前記シート材の周囲に巻かれて当該シート材を支持するひも状部材と、一端が固定された当該ひも状部材の他端に設けられて前記シート材が高圧ガスで膨らまされるときに容易に解除されるひも状部材仮止め手段とを備えて構成することが望ましい。前記構造物としては、空きスペースがほとんど無い状態で機器等が内部に収納されたものに適している。【００１３】
また、内部に機器等が収納された構造物に設けられ、当該構造物内で火災が発生したとき作動する消火装置であって、前記構造物の開口部に、前記開口封鎖装置を備えることが望ましい。また、少なくとも、風車の回転によって回転される発電機及びトランスを内部に収納した風力発電機用ナセルにおいて、前記発電機等から発生する火災を消火する消火装置として前記消火装置を備えることが望ましい。
【発明の効果】
【００１４】
本発明によれば、火災発生による高圧ガスを利用して前記シート材を膨らまされて前記開口部を塞ぐため、開口封鎖装置及消火装置の小型化を図ることができる。【００１５】
さらに、風力発電機のナセルのように、設置スペースが限られた空間に確実に設置することができる。
【図面の簡単な説明】
【００１６】
【図１】本発明の実施形態に係る開口封鎖装置を示す平面図である。
【図２】風力発電機を示す側面図である。
【図３】本発明の実施形態に係る風力発電機のナセルを示す斜視図である。
【図４】本発明の実施形態に係る開口封鎖装置を示す平面図である。
【図５】本発明の実施形態に係る開口封鎖装置を示す側面図である。
【図６】本発明の実施形態に係る開口封鎖装置を示す側面図である。
【図７】本発明の実施形態に係る開口封鎖装置の耐火シートを示す斜視図である。
【図８】本発明の実施形態に係る開口封鎖装置の収納箱を示す側面断面図である。
【図９】本発明の実施形態に係る開口封鎖装置の収納箱の他の例を示す側面断面図である。
【図１０】本発明の第１変形例に係るシート材仮止め手段を示す側面図である。
【図１１】本発明の第１変形例に係るシート材仮止め手段を示す平面図である。
【図１２】本発明の第１変形例に係るシート材仮止め手段を示す側面図である。
【図１３】本発明の第２変形例に係る長溝を示す平面図である。
【図１４】本発明の第３変形例に係るマグネットを示す平面図である。
【図１５】本発明の第４変形例に係るフックを示す斜視図である。
【図１６】本発明の第５変形例に係る面ファスナーを示す平面図である。
【図１７】本発明の第６変形例に係る支持棒を示す平面図である。
【図１８】本発明の第７変形例に係る支持棒を示す側面図である。
【図１９】本発明の第８変形例に係る支持棒を示す側面図である。
【図２０】本発明の第９変形例に係る支持棒を示す側面図である。
【符号の説明】
【００１７】
ナセル１１：ナセル、１２：タワー、１３：開口部、１４：前室、１６：風車、１７：増速機、１８：発電機、２０：外殻、２２：収納室、２５：ブレーキ装置、２６：ローター軸、２８：トランス、３０：前方開口部、３２：下部開口部、３４：消火装置、３５：消火剤貯蔵容器、３６：配管、３７：噴射ヘッド、３９：制御盤、４０：起動容器ユニット、４１：開口封鎖装置、４６：供給配管、４７：耐火シート、４８：収納箱、５０：ガス抜き開口、５１：棒材、５３：容器本体、５４：蓋板、５５：蓋板仮止め部、５６：マグネット、５７：スプリング、６１：チェーン、６２：マグネット、６３：取付ステー、６５：長溝、６６：マグネット、６７：係止穴、６８：フック、６９：スプリング、７０：返し片、７２：面ファスナー、７３：支持棒、固定部７５、柱筒７６。
【発明を実施するための最良の形態】
【００１８】
以下に、本発明の実施形態について説明する。ここでは、開口封鎖装置を風力発電機用ナセル内に適用した例について説明する。【００１９】
まず、ナセル構造を図３に基づいて説明する。ナセル１１は、タワー１２の上端部に設置されている。タワー１２の上端部には、開口部１３の上側に前室１４が設けられ、この前室１４の上側にナセル１１が設置されている。【００２０】
ナセル１１は筐体状に構成されている。ナセル１１の前方には風車１６が備えられ、内部には増速機１７や発電機１８等が収納されている。ナセル１１は、補強材(図示せず)で補強された外殻２０によって収納室２２が構成されている。収納室２２には主に、増速機１７と、ブレーキ装置２５と、発電機１８とが設置されている。増速機１７は、ナセル１１の前方の風車１６に取り付けられたローター軸２６に連結して、このローター軸２６の回転を増速する。ブレーキ装置２５は、ローター軸２６に設けられ、このローター軸２６の回転を調整する。風の強い日は、ローター軸２６を固定して風車１６の回転を止めて破損等を防止する。発電機１８は増速機１７に連結されている。これにより、増速機１７で風車１６の回転を増速して発電機１８を回転させて発電する。さらに収納室２２にはトランス２８が設置されている。このトランス２８は、発電機１８で発電された電気を変圧して、外部へ送電する。【００２１】
収納室２２の前方の壁には前方開口部３０が設けられている。収納室２２の下部には下部開口部３２設けられている。これらの開口部３０，３２は、発電機１８、トランス２８等で発生する熱を外部に放熱するためのものである。各開口部３０，３２を介して空気を流して通気をよくしている。【００２２】
ナセル１１内には、トランス２８等の異常な発熱や落雷等によって火災が発生したときの消火用として消火装置３４が設置されている。この消火装置３４は主に、消火剤貯蔵容器３５と、配管３６と、噴射ヘッド３７と、制御盤３９と、起動容器ユニット４０と、開口封鎖装置４１（図１参照）から構成されている。【００２３】
消火剤貯蔵容器３５は、消火剤を貯蔵する容器である。消火剤としては、収納室２２内に充満して消火するタイプの消火剤が使用される。具体的には、収納室２２内に充満しやすい消火ガスが使用される。このため、消火剤貯蔵容器３５には、高圧の消火ガスが充填されている。配管３６は、消火剤貯蔵容器３５内の消火剤を収納室２２内に供給するための配管である。噴射ヘッド３７は、収納室２２内に直接的に消火剤を噴射するための部材である。噴射ヘッド３７は、収納室２２の適宜位置に設置されている。制御盤３９は、消火装置３４全体を制御するための装置である。制御盤３９は、火災検知センサ(図示せず)で火災を検知したら、消火剤貯蔵容器３５を開放いて、内部の消火ガスを噴射ヘッド３７に供給し、収納室２２内に噴射させて充満させる。起動容器ユニット４０は、消火剤貯蔵容器３５と起動管(図示せず)で連結されおり、消火剤貯蔵容器３５の開放制御をするための装置である。起動容器ユニット４０は、開放弁と開放器及び起動容器（いずれも図示せず）を備え、制御盤３９によって制御されている。これにより、制御盤３９が前記火災検知センサで火災を検知したら、前記開放器を作動させて開放弁を開放して、起動管に起動ガスを流入させ、この起動ガスの圧力により消火剤貯蔵容器３５を開放して消火ガスを放出させる。また起動容器ユニットを用いずに、消火剤貯蔵容器３５に開放器を直接取り付け、この開放器を作動させて消火剤貯蔵容器３５のガスを放出させる方法もある。【００２４】
開口封鎖装置４１は、火災発生により収納室２２内に供給された消火ガスが下部開口部３２から外部に流出しないように下部開口部３２を封鎖するための装置である。開口封鎖装置４１は収納室２２の下部開口部３２に設けられている。この開口封鎖装置４１は、図１、４〜７に示すように、供給配管４６と、耐火シート４７と、収納箱４８とから構成されている。【００２５】
供給配管４６は、耐火シート４７を膨らませる起動ガス（高圧ガス）を供給するための配管である。起動ガスとしてここでは消火ガスを用いている。このため、供給配管４６は、前記配管３６と共に消火剤貯蔵容器３５に接続され、火災発生により配管３６に供給される消火ガスの一部が起動ガスとして供給配管４６に供給される。【００２６】
耐火シート４７は、下部開口部３２を塞ぐためのシート材である。この耐火シート４７は、例えば自動車のエアバックに使用されるシート材等のように、急激に膨らまされるときの衝撃に強く、通気性が極めて小さいて耐火性のある材料を用いる。このようなシート材を袋状に形成して耐火シート４７を構成し、その内部に供給される消火ガスで膨らむようになっている。耐火シート４７は、膨らんだ状態で下部開口部３２を塞ぐことができる寸法、形状になっている。具体的には、下部開口部３２よりも大きい寸法の四角形状に形成されている。下部開口部３２は、火災発生の可能性のある地点に近いため、シート材として耐火シート４７を用いるが、火災発生の可能性のある地点から遠くて熱や炎による影響を受ける可能性の低いところの開口部に開口封鎖装置４１を設置する場合は、耐火性を有しないシート材でもよい。【００２７】
耐火シート４７は、消火ガスによって容易に膨らむようになっている。具体的には、図７、８のように、周囲だけを閉じた１枚の袋状に形成されている。耐火シート４７の先端部にはガス抜き開口５０が設けられている。ガス抜き開口５０は、耐火シート４７が消火ガスによって膨らんだ後、耐火シート４７の先端部から消火ガスを外部に抜くための穴である。ガス抜き開口５０は、耐火シート４７の先端部に６つ設けられている。このガス抜き開口５０の大きさ及び個数は、供給配管４６を介して耐火シート４７に供給される消火ガス圧に応じて設定される。具体的には、消火ガス圧が高い場合は、耐火シート４７が破裂しないように、ガス抜き開口５０の大きさ及び個数を増やす。消火ガス圧が低い場合は、耐火シート４７が破裂するおそれは低いので、ガス抜き開口５０の大きさ及び個数を減らす。これにより、耐火シート４７が消火ガスで膨らまされる際に内圧が異常に高くならないように、かつ耐火シート４７を速やかに広げる圧力を保つことができるように調整されている。具体的には、火災発生を検知した消火装置３４が作動する数十秒の間に、耐火シート４７が破裂することなく確実に膨らんで下部開口部３２を塞ぐことができる圧力に保つことができるように調整されている。ガス抜き開口５０は、四角形の穴で構成されている。なお、ガス抜き開口５０としては、多角形の穴、丸い穴等の種々の形状の穴でもよく、角張らせたＵ字状、丸みを持たせたＵ字状、鉤裂き状、直線状等のカットでもよい。巻き取られた耐火シート４７が完全に開ききった後に内部が異常な高圧にならないで内部の気体を放出できる穴であればよい。ガス抜き開口５０の設置位置も、耐火シート４７の先端部に限らなくてもよい。耐火シート４７が完全に開ききった後に内部が異常な高圧にならないで内部の気体を確実に放出できる位置であればよく、この機能を果たす位置であれば、供給配管４６に近い位置でもよい。【００２８】
耐火シート４７の先端部には、棒材５１が取り付けられている。この棒材５１は、耐火シート４７を巻き取るときの芯材及び耐火シート４７を広げたときの錘として機能するための部材である。棒材５１は丸棒状に形成され、耐火シート４７が開く際に転がってスムーズに開くようになっている。耐火シート４７は、待機状態のとき、この棒材５１に巻き取られる状態で丸められて収納箱４８内に収納されている。なお、耐火シート４７は、丸めないで蛇腹状に畳んでもよい。他の形式で畳んでもよい。スムーズに開くことができるように畳まれていればよい。棒材５１は、耐火シート４７の先端部に設けることで、耐火シート４７を効率的に巻き取ることができるが、耐火シート４７の先端部に設けない場合もある。棒材５１を耐火シート４７の途中に設けて、耐火シート４７をその先端部から巻き取って棒材５１を途中で一緒に巻き取ったり、棒材５１を中心のその前後の耐火シート４７を巻き取ったりするようにしてもよい。耐火シート４７の中央付近に棒材５１を設けると、耐火シート４７が広がった後で、棒材５１が錘として耐火シート４７の中央部を押さえることができる。【００２９】
収納箱４８は、棒材５１に巻き取られた耐火シート４７を棒材５１ごと内部に収納して仮止めするためのシート材仮止め手段である。収納箱４８は、図１，４，５，６，８に示すように、棒材５１に巻き取られた耐火シート４７がそのまま収納できる寸法の容器本体５３と、この容器本体５３の開口を塞ぐ蓋板５４とから構成されている。耐火シート４７は、広げた状態での一端部が容器本体５３内に支持された状態で、先端部の棒材５１を中心に巻き取られて容器本体５３内に収納される。蓋板５４は、その上端部が容器本体５３の上部に回動可能に取り付けられ、耐火シート４７が膨らんで広がるときに、この耐火シート４７によって押し開かれるようになっている。蓋板５４の下端部は、耐火シート４７が丸められて容器本体５３に収納された状態で、蓋板５４が容易に開かないように蓋板仮止め部５５で簡易的に固定されている。この蓋板仮止め部５５としては、図８に示すようにマグネット５６で蓋板５４を容器本体５３に軽く固定したり、図９に示すようにスプリング５７で蓋板５４を容器本体５３に軽く引っ張って固定したりする。これにより、耐火シート４７が膨らんで広がるときに、この耐火シート４７によって蓋板５４が押されて容易に開くようになっている。容器本体５３及び蓋板５４は、不燃性及び耐食性を有する材料で構成されている。具体的には、ステンレス等の金属で構成されている。【００３０】
以上のように構成された風力発電機用ナセル１１は次のように作用する。【００３１】
通常の発電動作中などにおいて、発電機１８、トランス２８等の異常な発熱や落雷により、ナセル１１内に火災が発生した場合、消火装置３４の制御盤３９は、火災検知センサで火災を検知して、消火剤貯蔵容器３５の開放器を作動させて開放弁を開き、消火ガスを噴射ヘッド３７から収納室２２に噴射させる。【００３２】
これと同時に、消火ガスが開口封鎖装置４１の供給配管４６を介して耐火シート４７に供給されて、この耐火シート４７を押し広げる。これにより、耐火シート４７は、丸められた状態（図５の状態）から膨らんでいく。これにより、収納箱４８の蓋板５４が押し開かれて耐火シート４７が広がる。消火ガスの噴射が終了すると、耐火シート４７内の消火ガスがガス抜き開口５０から抜けて耐火シート４７が下部開口部３２を覆う。ガス抜き開口５０から抜けた消火ガスは収納室２２内に充満して再利用される。この状態で、耐火シート４７の基端部は収納箱４８で、先端部は棒材５１で支持されて、下部開口部３２を封鎖する。【００３３】
これにより、下部開口部３２からの気体の出入りがほとんどなくなって、収納室２２内での通気性が悪くなる。これにより、収納室２２内に噴射された消火ガスが、収納室２２内に充満した状態で各開口部３０，３２から外部に漏れることが少なくなり、収納室２２内の消火ガス濃度を高く維持することができる。この結果、火災を効率的に消火することができる。【００３４】
以上のように、開口封鎖装置４１を、消火ガスで膨らむ耐火シート４７を丸めて収納箱４８に収納した構成にして、動力源として既存の消火ガスを利用し、新たな装置を使用しないため、装置の大幅な小型化を図ることができ、風力発電機のナセル１１等の設置スペースが限られた空間に確実に設置することができるようになる。【００３５】
また、既存のナセル１１等のように、内部に新たな装置を設置するスペースがほとんど無いような場所でも、開口封鎖装置４１を容易に設置することができる。【００３６】
ナセル１１のような通気性のよい空間での火災に対して、消火剤放出時に簡易な手段で開口部を封鎖して消火剤濃度の低下を防止できるため、火災を効率的に消火することができる。【００３７】
また、煙及び炎の広がりを抑えて他の部屋への延焼を防止することもできる。ここでは、収納室２２しかないが、複数の部屋がある場合は、開口部を伝って煙りや炎が広がるのを防止することができる。
【産業上の利用可能性】
【００３８】
前記実施形態では、シート材仮止め手段として収納箱４８を設け、丸めた耐火シート４７を収納箱４８に収納したが、チェーン等の紐材で丸めた耐火シート４７を固定するようにしてもよい。例えば、図１０〜１２に示すように、チェーン６１と、マグネット６２とからシート材仮止め手段を構成してもよい。チェーン６１の一端は、取付ステー６３に固定されている。チェーン６１の他端にはマグネット６２が取り付けられ、取付ステー６３に吸着されて、耐火シート４７を仮止めする。これにより、火災が発生して消火剤貯蔵容器３５から消火ガスが耐火シート４７に供給されて耐火シート４７が広がると、マグネット６２が取付ステー６３から離れてチェーン６１による支持が解除される。これにより、耐火シート４７は、チェーン６１で支持された状態から容易に広がることができる。【００３９】
前記実施形態では、下部開口部３２の周囲には特に耐火シート４７の棒材５１を支持する手段を設けなかったが、図１３に示すように、耐火シート４７が開ききった状態で棒材５１が位置する部分に、棒材５１が嵌る長溝６５を設けてもよい。長溝６５を設けることで、耐火シート４７が開いたとき棒材５１が長溝６５に嵌って、下部開口部３２を挟んだ両側から耐火シート４７を確実に支持することができる。【００４０】
また、長溝６５の代わりにマグネットを用いてもよい。図１４に示すように、耐火シート４７が開ききった状態で棒材５１が位置する部分に面して、マグネット６６を設ける。このとき、棒材５１は、マグネット６６に吸着されるように、磁性体で構成する。これにより、耐火シート４７が開いたとき棒材５１がマグネット６６に吸着されて、下部開口部３２を挟んだ両側から耐火シート４７を確実に支持することができる。【００４１】
また、長溝６５、マグネット６６の代わりにフックを用いてもよい。図１５に示すように、耐火シート４７の先端部の角等に係止穴６７を設け、耐火シート４７が開ききった状態で係止穴６７に対応する位置に面して、フック６８を設ける。フック６８には、スプリング６９で支持された返し片７０を設ける。この返し片７０は、スプリング６９で軽く支持され、容易に畳まるようになっている。これにより、耐火シート４７が開いたとき、棒材５１がフック６８を越えて係止穴６７がフック６８に嵌合する。これにより、返し片７０が係止穴６７の縁で畳まれて、係止穴６７の反対側で開いて、係止穴６７とフック６８とを互いに抜けないように結合する。これにより、下部開口部３２を挟んだ両側から耐火シート４７を確実に支持することができる。【００４２】
また、面ファスナーを用いてもよい。即ち、フック状に起毛された一方と、ループ状に起毛された他方からなり自在に貼り付けたり剥がしたりできる面ファスナーを用いてもよい。具体的には図１６に示すように、耐火シート４７の周囲の位置と、この周囲に対応するナセル１１側の位置に、面ファスナー７２をそれぞれ設ける。これにより、耐火シート４７が開いたとき、耐火シート４７側とナセル１１側の面ファスナー７２が互いに絡まって結合する。これにより、下部開口部３２の周囲から耐火シート４７を確実に支持することができる。【００４３】
また、支持棒を用いてもよい。具体的には図１７、１８に示すように、開いた状態の耐火シート４７の上側を覆うように支持棒７３を設ける。これにより、耐火シート４７が開いたとき、耐火シート４７の上側を支持棒７３で覆って支持する。これにより、下部開口部３２の周囲から耐火シート４７を確実に支持することができる。【００４４】
さらに前記実施形態では、耐火シート４７の先端の棒材５１を丸棒状にしたが、角棒状等の他の形状でもよい。例えば、棒材５１を四角棒状にすると、耐火シート４７の先端側の支持を安定させることができる。四角棒状の場合、転がらないでその場に止まるため、基端側を収納箱４８で支持された耐火シート４７が、下部開口部３２を跨いで広がって先端側の四角棒状の棒材５１で支持されると、棒材５１がずれずに耐火シート４７の先端部を支持するため、風の強い日でも、耐火シート４７がめくれずに下部開口部３２を封鎖することができる。四角棒状の棒材５１としては、消火ガスで耐火シート４７が広がるのを妨げない範囲で、重くすることが望ましい。【００４５】
前記実施形態では、供給配管４６には、特に減圧弁を設けなかったが、消火ガスの圧力が高くて耐火シート４７が破裂する可能性がある場合は、供給配管４６に減圧弁を設けて耐火シート４７の供給される消火ガスの圧力を調整する。【００４６】
前記実施形態では、耐火シート４７を膨らませるガスとして消火ガスを用いたが、消火剤貯蔵容器３５を開放する為の起動ガスや、又は消火剤貯蔵容器３５を加圧する為のガス又は専用のガスを用いても良い。専用のガスを用いる場合でも、耐火シート４７を膨らませるのに必要なガス量はそれほど多くないため、ガス収納容器もあまり大きなものを必要とせず、収納箱４８の周囲に嵩張らないように取り付けることができる。このガス収納容器を耐火シート４７に接続し、その途中に前記消火ガスで開放する開放弁を設ける。この開放弁は、供給配管４６に接続して消火剤貯蔵容器３５から放出される消火ガスの圧力で弁が開くように設定しておく。【００４７】
前記実施形態では、耐火シート４７の形状を四角形にしたが、封鎖対象の下部開口部３２を覆うことができる形状であればよい。このため、四角形に限らず、円形や多角形状でもよい。下部開口部３２の形状に合わせる場合も、前記実施形態のように下部開口部３２が丸い場合は丸く、四角い場合は四角く、他の形状の場合はその形状に合わせて形成してもよい。【００４８】
前記実施形態では、開口封鎖装置４１を収納室２２の下部開口部３２に設ける場合を例に説明したが、開口封鎖装置４１の設置位置は、下部開口部３２に限らず、前方開口部３０等の他の位置でもよい。縦の前方開口部３０に設置する場合は、棒材５１がおもりになって耐火シート４７を支持する。【００４９】
前記実施形態では、開口封鎖装置４１を風力発電機用のナセル１１に設置した場合を例に説明したが、ナセル１１に限らず、他の装置でもよい。開口封鎖装置４１は小型で嵩張らないため、僅かなスペースしかない装置でも簡単に取り付けることができる。【００５０】
前記実施形態では、開口封鎖装置４１を通気用の下部開口部３２に設けたが、通気用でない開口であってもよい。消火ガスが流出する可能性のある開口であれば封鎖する必要があるため、そのような開口全てに開口封鎖装置４１を設けることができる。【００５１】
前記実施形態では、耐火シート４７を１枚の袋状に形成したが、図１９に示すように、耐火シート４７の途中に固定部７５を設けてもよい。この固定部７５は、耐火シート４７の上側シート部と下側シート部とを部分的に固定してあまり膨らまないようにするための留め具である。固定部７５としては具体的には、ワイヤ、紐、リベット等を用いることができる。これにより、ガスで耐火シート４７を膨らませる際に、あまり多くの量のガスを使わずに耐火シート４７を広げることができる。【００５２】
また、図２０に示すように、耐火シート４７を縦に仕切っていくつかの円柱状の柱筒７６を作り、この部分だけにガスを供給するようにしてもよい。柱筒７６という僅かな体積の円柱部分に高圧のガスを供給することで、僅かなガスで効率的に耐火シート４７を広げることができる。また、ガス抜き開口５０を設けないで、柱筒７６に供給したガスを抜かずにそのまま維持して、柱筒７６を、耐火シート４７全体を支持するための支持棒として機能させるようにしてもよい。これにより、耐火シート４７が一枚板に近い状態になり、効率的に下部開口部３２を塞ぐことができる。この場合、柱筒７６の先端部を固定するようにしてもよい。また、柱筒７６に逆止弁と圧力調整弁とを設けて、柱筒７６が硬い支持棒として機能し続けるようにしてもよい。柱筒７６の設置位置も、図２０に限らず、耐火シート４７の周縁部のみに設けたり、図２０の２本と共に耐火シート４７の両側の周縁部にも設けて合計４本設けたり、耐火シート４７の全体に多数設けたりすることができる。【００５３】
また、前記各変形例を２つ以上組み合わせるようにしてもよい。
【図１】
2008146345.tif 000003
【図２】
2008146345.tif 000004
【図３】
2008146345.tif 000005
【図４】
2008146345.tif 000006
【図５】
2008146345.tif 000007
【図６】
2008146345.tif 000008
【図７】
2008146345.tif 000009
【図８】
2008146345.tif 000010
【図９】
2008146345.tif 000011
【図１０】
2008146345.tif 000012
【図１１】
2008146345.tif 000013
【図１２】
2008146345.tif 000014
【図１３】
2008146345.tif 000015
【図１４】
2008146345.tif 000016
【図１５】
2008146345.tif 000017
【図１６】
2008146345.tif 000018
【図１７】
2008146345.tif 000019
【図１８】
2008146345.tif 000020
【図１９】
2008146345.tif 000021
【図２０】
2008146345.tif 000022
【国際調査報告】
2008146345.tif 000023
2008146345.tif 000024
2008146345.tif 000025
2008146345.tif 000026
2008146345.tif 000027